(57)【要約】【課題】撮影条件をデフォルト設定に戻せば、デフォルト設定のライブビュー画像を表示することができるが、デフォルト設定に戻すために複数回の操作が必要となり、また、変更した複数の撮影条件が全てリセットされてしまう。【解決手段】撮影条件を保持したまま、撮影条件を反映したライブビュー画像データを表示する第１のライブビューモードと、撮影条件をリセットした設定を反映したライブビュー画像データを表示する第２のライブビューモードとをユーザが切り替え可能とし、ユーザの切り替え指示に応じて、ライブビューモードを切り替える。【選択図】図４
2010245810.tif 000002
【特許請求の範囲】
【請求項１】
被写体を撮像して画像信号を得る撮像部と、
撮影条件に応じて、前記画像信号を処理してライブビュー画像データを得る画像処理部と、
前記ライブビュー画像データを表示する表示部と、
ユーザが前記撮影条件を設定するための撮影条件設定部と、
前記撮影条件設定部により設定された撮影条件を記憶する撮影条件記憶部と、
前記撮影条件記憶部に記憶されている撮影条件を保持したまま、前記撮影条件を反映したライブビュー画像データを前記表示部に表示する第１のライブビューモードと、前記撮影条件をリセットした設定を反映したライブビュー画像データを前記表示部に表示する第２のライブビューモードとをユーザが切り替えるためのライブビューモード切替操作部と、
ユーザによる前記ライブビューモード切替操作部の操作に応じて、前記表示部のライブビューモードを切り替える表示切替部と、
を備えることを特徴とする撮像装置。
【請求項２】
前記ライブビューモード切替操作部は、前記第１のライブビューモードと、前記第２のライブビューモードと、前記ライブビュー画像データを前記表示部に表示しない第３のライブビューモードとをユーザが切り替えるための操作部であることを特徴とする請求項１に記載の撮像装置。
【請求項３】
ユーザが前記ライブビューモード切替操作部を操作した際の操作時間を計測する計時部をさらに備え、
前記表示切替部は、前記ライブビューモード切替操作部がユーザによって操作された時のライブビューモードと、前記ライブビューモード切替操作部の操作時間とに基づいて、現在のライブビューモードから別のライブビューモードに切り替えることを特徴とする請求項２に記載の撮像装置。
【請求項４】
前記表示切替部は、現在のライブビューモードが前記第１のライブビューモードである場合に、前記ライブビューモード切替操作部の操作時間が所定時間以上であれば、前記第３のライブビューモードに切り替え、前記ライブビューモード切替操作部の操作時間が前記所定時間未満であれば、前記第２のライブビューモードに切り替えることを特徴とする請求項３に記載の撮像装置。
【請求項５】
前記表示切替部は、現在のライブビューモードが前記第２のライブビューモードである場合に、前記ライブビューモード切替操作部の操作時間が所定時間以上であれば、前記第３のライブビューモードに切り替え、前記ライブビューモード切替操作部の操作時間が前記所定時間未満であれば、前記第１のライブビューモードに切り替えることを特徴とする請求項３または請求項４に記載の撮像装置。
【請求項６】
前記表示切替部は、現在のライブビューモードが前記第３のライブビューモードである場合に、ユーザによって前記ライブビューモード切替操作部が操作されると、操作時間に関係なく、前記第１のライブビューモードに切り替えることを特徴とする請求項３から請求項５のいずれか一項に記載の撮像装置。
【請求項７】
前記表示切替部は、現在のライブビューモードが前記第２のライブビューモードである場合に、ユーザによる前記撮影条件設定部の設定操作によって撮影条件が変更されると、変更後の撮影条件を反映したライブビュー画像データを前記表示部に表示する第１のライブビューモードに切り替えることを特徴とする請求項１から請求項６のいずれか一項に記載の撮像装置。
【請求項８】
前記第２のライブビューモードでライブビュー画像データを表示する場合には、前記第１のライブビューモードでライブビュー画像データを表示する場合とは異なる表示を行う表示制御部、
をさらに備えることを特徴とする請求項１から請求項７のいずれか一項に記載の撮像装置。
【請求項９】
前記撮影条件の設定には、露出設定、ホワイトバランス設定、色調節設定、階調調節設定、特殊効果フィルタ設定、特定シーン撮影用のシーンモード設定、アスペクト比設定、シャープネス設定、ノイズ低減フィルタ設定のうちの少なくとも１つの設定が含まれることを特徴とする請求項１から請求項８のいずれか一項に記載の撮像装置。
【発明の詳細な説明】
【技術分野】
【０００１】
本発明は、ライブビュー表示機能を有する撮像装置に関する。
【背景技術】
【０００２】
撮影前に、画像確認を可能とするライブビュー表示機能を搭載したデジタルカメラが知られている。特許文献１には、ライブビュー画像に、撮影条件の設定変更メニュー画面を重畳表示させて、撮影条件の設定が変更されるとすぐに、変更された撮影条件を反映したライブビュー画像を表示する技術が開示されている。
【先行技術文献】
【特許文献】
【０００３】
【特許文献１】特開２００１−２１１３５４号公報
【発明の概要】
【発明が解決しようとする課題】
【０００４】
しかしながら、デフォルトの撮影条件に対して、露出補正やホワイトバランス設定、彩度調節、階調調節など、複数の撮影条件設定を変更してライブビュー表示させた場合に、設定変更後のライブビュー表示を、デフォルト設定のライブビュー表示と比較することをユーザが望む場合がある。この場合、撮影条件をデフォルト設定に戻せば、デフォルト設定のライブビュー画像を表示することができるが、デフォルト設定に戻すために複数回の操作が必要となり、また、変更した複数の撮影条件が全てリセットされてしまうという問題があった。
【０００５】
本発明は、撮影条件の設定を変更せずに、変更した撮影条件によるライブビュー表示と、デフォルト設定のライブビュー表示とを簡単に切り替えることができる技術を提供することを目的とする。
【課題を解決するための手段】
【０００６】
本発明のある態様に係る撮像装置は、被写体を撮像して画像信号を得る撮像部と、撮影条件に応じて、前記画像信号を処理してライブビュー画像データを得る画像処理部と、前記ライブビュー画像データを表示する表示部と、ユーザが前記撮影条件を設定するための撮影条件設定部と、前記撮影条件設定部により設定された撮影条件を記憶する撮影条件記憶部と、前記撮影条件記憶部に記憶されている撮影条件を保持したまま、前記撮影条件を反映したライブビュー画像データを前記表示部に表示する第１のライブビューモードと、前記撮影条件をリセットした設定を反映したライブビュー画像データを前記表示部に表示する第２のライブビューモードとをユーザが切り替えるためのライブビューモード切替操作部と、ユーザによる前記ライブビューモード切替操作部の操作に応じて、前記表示部のライブビューモードを切り替える表示切替部と、を備えることを特徴とする。
【発明の効果】
【０００７】
本発明によれば、撮影条件の設定を変更することなく、撮影条件を反映したライブビュー画像と、撮影条件をリセットした設定を反映したライブビュー画像とを簡単に切り替えて表示することができる。
【図面の簡単な説明】
【０００８】
【図１】一実施形態における撮像装置であるデジタルスチルカメラの構成を示すブロック図である。
【図２】一実施形態に係る撮像装置であるデジタルスチルカメラで行われる処理フローを示すフローチャートである。
【図３】Status_LVの各状態を説明するための図である。
【図４】Status_LVの遷移状態をまとめた図である。
【図５】ライブビュー表示時の制御内容を示すフローチャートである。
【図６】撮影条件をリセットした設定を反映したライブビュー画像をＬＣＤに表示する際の表示方法の例を示す図である。
【発明を実施するための形態】
【０００９】
図１は、一実施形態における撮像装置であるデジタルスチルカメラの構成を示すブロック図である。
【００１０】
レンズ１０１は、被写体の光学像を撮像素子１０２に集光させる。レンズ１０１は、単焦点レンズであってもよいし、ズームレンズであってもよい。
【００１１】
レンズ駆動制御回路１１２は、後述するマイクロコンピュータ１０７によって算出された合焦評価値に基づいて、レンズ１０１を駆動させる指令をレンズ駆動部１１１に出す。レンズ駆動部１１１は、レンズ駆動制御回路１１２からの指示に基づいて、レンズ１０１を駆動させて、焦点距離やフォーカス位置の変更を行う。
【００１２】
撮像素子１０２は、各画素を構成するフォトダイオードの前面に、ベイヤー配列のカラーフィルタが配置された撮像素子である。ベイヤー配列は、水平方向にＲ画素とＧ（Ｇｒ）画素が交互に配置されたラインと、Ｇ（Ｇｂ）画素とＢ画素が交互に配置されたラインとを有し、さらにその２つのラインを垂直方向にも交互に配置することで構成されている。この撮像素子１０２は、レンズ１０１により集光された光を、画素を構成するフォトダイオードで受光して光電変換することで、光の量を電荷量として撮像回路１０３へ出力する。なお、撮像素子１０２は、ＣＭＯＳ方式のものでもＣＣＤ方式のものでも良い。
【００１３】
撮像回路１０３は、撮像素子１０２から読み出された電気信号（アナログ画像信号）に対し、リセットノイズ等を低減した上で波形整形を行い、さらに目的の明るさとなるように、ゲインアップを行う。Ａ/Ｄ変換部１０４は、撮像回路１０３から出力されたアナログ画像信号をデジタル画像信号（以後、画像データという）に変換する。
【００１４】
バス１９９は、デジタルカメラ内部で発生した各種データをデジタルカメラ内の各部に転送するための転送路である。バス１９９は、Ａ/Ｄ変換部１０４と、画像処理部１０５と、ＪＰＥＧ処理部１０６と、マイクロコンピュータ１０７と、ＳＤＲＡＭ１０８と、メモリＩ/Ｆ１０９と、ＬＣＤドライバ１１０に接続されている。
【００１５】
Ａ/Ｄ変換部１０４から出力される画像データは、バス１９９を介して一旦ＳＤＲＡＭ１０８に記憶される。ＳＤＲＡＭ１０８は、Ａ/Ｄ変換部１０４において得られた画像データや、画像処理部１０５、ＪＰＥＧ処理部１０６において処理された画像データ等の各種データが一時的に記憶される記憶部である。
【００１６】
画像処理部１０５は、ＳＤＲＡＭ１０８から読み出した画像データに対して、オプティカルブラック減算処理、ホワイトバランス補正処理、同時化処理、ガンマ補正処理、および、色再現処理などの様々な画像処理を施す。
【００１７】
ＪＰＥＧ処理部１０６は、画像データの記録時には、ＳＤＲＡＭ１０８から画像データを読み出し、読み出した画像データをＪＰＥＧ圧縮方式に従って圧縮して、圧縮したＪＰＥＧ画像データを、ＳＤＲＡＭ１０８に一旦記憶する。マイクロコンピュータ１０７は、ＳＤＲＡＭ１０８に記憶されたＪＰＥＧ画像データに対して、ＪＰＥＧファイルを構成するために必要なＪＰＥＧヘッダを付加してＪＰＥＧファイルを作成し、作成したＪＰＥＧファイルを、メモリＩ/Ｆ１０９を介して記録媒体１１５に記録する。記録媒体１１５は、例えばカメラ本体に着脱可能なメモリカードからなる記録媒体であるが、これに限定されるものではない。
【００１８】
ＬＣＤドライバ１１０は、ＬＣＤ１１６に画像を表示させる。画像の表示には、撮影直後の画像データを短時間だけ表示するレックビュー表示、記録媒体１１５に記録されたＪＰＥＧファイルの再生表示、および、ライブビュー画像（スルー画像とも呼ばれる）等の動画の表示が含まれる。ライブビュー画像を表示するライブビュー表示時には、後述するStatus_LVに応じた表示を行う。また、記録媒体１１５に記録されたＪＰＥＧファイルを再生する場合、ＪＰＥＧ処理部１０６は、記録媒体１１５に記録されているＪＰＥＧファイルを読み出して伸張処理を施した上で、伸張した画像データを一旦ＳＤＲＡＭ１０８に記憶させる。ＬＣＤドライバ１１０は、伸張された画像データをＳＤＲＡＭ１０８から読み出し、読み出した画像データを映像信号へ変換した後でＬＣＤ１１６へ出力して、画像の表示を行う。
【００１９】
制御部としての機能を有するマイクロコンピュータ１０７は、デジタルカメラ本体の各種シーケンスを統括的に制御する。マイクロコンピュータ１０７には、レンズ駆動制御回路１１２、操作部１１３およびＦｌａｓｈメモリ１１４が接続されている。
【００２０】
操作部１１３は、電源ボタン、レリーズボタン、各種入力キー等の操作部材である。ユーザによって、操作部１１３の何れかの操作部材が操作されることにより、マイクロコンピュータ１０７は、ユーザの操作に応じた各種シーケンスを実行する。電源ボタンは、当該デジタルカメラの電源のオン／オフ指示を行うための操作部材である。電源ボタンが押されたときに、マイクロコンピュータ１０７は、当該デジタルカメラの電源をオン又はオフする。レリーズボタンは、ファーストレリーズスイッチとセカンドレリーズスイッチの２段スイッチを有して構成されている。レリーズボタンが半押しされて、ファーストレリーズスイッチがオンされた場合に、マイクロコンピュータ１０７は、ＡＥ処理やＡＦ処理等の撮影準備シーケンスを行う。また、レリーズボタンが全押しされて、セカンドレリーズスイッチがオンされた場合に、マイクロコンピュータ１０７は、撮影シーケンスを実行して撮影を行う。
【００２１】
Ｆｌａｓｈメモリ１１４は、ホワイトバランスモードに応じたホワイトバランスゲインやローパスフィルタ係数等のデジタルカメラの動作に必要な各種パラメータ、後述する、ライブビュー表示の表示方法を示すパラメータであるStatus_LV、および、デジタルスチルカメラを特定するための製造番号などを記憶している。また、Ｆｌａｓｈメモリ１１４は、マイクロコンピュータ１０７にて実行する各種プログラムも記憶している。マイクロコンピュータ１０７は、Ｆｌａｓｈメモリ１１４に記憶されているプログラムに従い、またＦｌａｓｈメモリ１１４から各種シーケンスに必要なパラメータを読み込み、各処理を実行する。
【００２２】
図２は、一実施形態に係る撮像装置であるデジタルスチルカメラで行われる処理フローを示すフローチャートである。ユーザにより電源ボタンが押されて、デジタルスチルカメラの電源がオンになると、マイクロコンピュータ１１５は、ステップＳ２０１の処理を開始する。
【００２３】
ステップＳ２０１では、ライブビュー表示がオフ状態であるか否かを判定する。後述するように、カメラの電源をオフする前に、ライブビュー表示の表示方法を示すパラメータであるStatus_LVをＦｌａｓｈメモリ１１４に記録しておく。電源がオンされた直後は、Ｆｌａｓｈメモリ１１４に記録されているStatus_LVに応じたライブビュー表示処理が行われる。
【００２４】
図３は、Status_LVの各状態を説明するための図である。Status_LV＝０は、撮影条件をリセットした設定を反映したライブビュー画像を表示するモードである。撮影条件をリセットした設定とは、デジタルスチルカメラが工場から出荷された時の撮影条件設定、すなわち、デフォルトの撮影条件設定である。
【００２５】
Status_LV＝１は、撮影条件を反映したライブビュー画像を表示するモードである。撮影条件には、露出補正のための露出設定、ホワイトバランス補正のためのホワイトバランス設定、色味を調節するための色調節設定、階調補正のための階調調節設定、特殊効果フィルタ処理の設定、特定シーン撮影用のシーンモード設定、アスペクト比を変更するためのアスペクト比設定、シャープネスを調節するためのシャープネス調節設定、ノイズ低減フィルタの設定などが含まれる。特殊効果フィルタ処理には、例えば、画像を適度にぼかすソフトフォーカス処理、シャドウ部もハイライト部も柔らかく表現するライトトーン処理、画像の周辺光量を落としたトイフォト処理、色をカラフルで印象的に強調するポップアート処理、粗い粒子でハイコントラストなモノクロ写真を再現するラフモノクローム処理等がある。また、特定シーン撮影用のシーンモード設定には、人物撮影用のポートレートモード、風景撮影用の風景モード、マクロ撮影用のマクロモード、動きの速い被写体を撮影するためのスポーツモード等がある。
【００２６】
Status_LV＝２は、ライブビュー表示がオフ状態のモードである。
【００２７】
上述したように、電源がオンになった直後は、Ｆｌａｓｈメモリ１１４に格納されているStatus_LVに応じたライブビュー表示を行う。従って、Ｆｌａｓｈメモリ１１４に格納されているStatus_LVがStatus_LV＝２の場合には、ライブビュー表示をオフとする制御が行われる。ステップＳ２０１において、ライブビュー表示がオフ状態ではないと判定するとステップＳ２０４に進み、オフ状態であると判定すると、ステップＳ２０２に進む。
【００２８】
ステップＳ２０２では、Status_LVを２に設定する。
【００２９】
ステップＳ２０３では、操作部１１３に含まれるライブビューボタンが操作されたか否かを判定する。ライブビューボタンは、ライブビュー表示の表示方法を変更するための操作ボタンである。後述するように、ライブビューボタンの操作には、所定時間（例えば、２秒）以上押し続けられる長押し操作と、所定時間未満だけ押される短押し操作とがあるが、ここでは、操作時間に関係なく、ライブビューボタンが操作されたか否かを判定する。ライブビューボタンが操作されたと判定すると、ステップＳ２０４に進み、操作されていないと判定すると、ステップＳ２１２に進む。
【００３０】
ステップＳ２０４では、Status_LV＝１に設定する。
【００３１】
ステップＳ２０５では、ライブビューボタンが短押し操作されたか否かを判定する。マイクロコンピュータ１０７は、ライブビューボタンが操作された時間を計測するためのタイマを有しており、タイマの計測時間に基づいて、ライブビューボタンが短押し操作されたか否かを判定する。ライブビューボタンが短押し操作されていないと判定するとステップＳ２０８に進み、短押し操作されたと判定すると、ステップＳ２０６に進む。
【００３２】
ステップＳ２０６では、Status_LV＝０に設定する。すなわち、ライブビュー表示のモードが、撮影条件を反映したライブビュー画像を表示するモードであるStatus_LV＝１の状態で、ライブビューボタンの短押し操作が行われると、撮影条件をリセットした設定を反映したライブビュー画像を表示するモードに切り替わる。
【００３３】
ステップＳ２０７では、ライブビューボタンが再び短押し操作されたか否かを判定する。ライブビューボタンが再び短押し操作されたと判定すると、ステップＳ２０４に戻り、Status_LV＝１に設定する。すなわち、ライブビュー表示のモードが、撮影条件をリセットした設定を反映したライブビュー画像を表示するモードであるStatus_LV＝０の状態で、ライブビューボタンの短押し操作が行われると、撮影条件を反映したライブビュー画像を表示するモードに切り替わる。
【００３４】
一方、ステップＳ２０７でライブビューボタンの短押し操作が行われていないと判定すると、ステップＳ２０８に進む。ステップＳ２０８では、ライブビューボタンが長押し操作されたか否かを判定する。ライブビューボタンが長押し操作されたと判定すると、ステップＳ２０９に進む。
【００３５】
ステップＳ２０９では、Status_LV＝２に設定する。すなわち、ライブビュー表示がオンであるStatus_LV＝０またはStatus_LV＝１の状態で、ライブビューボタンの長押し操作が行われると、ライブビュー表示がオフの状態になる。
【００３６】
一方、ステップＳ２０８において、ライブビューボタンが長押し操作されていないと判定すると、ステップＳ２１０に進む。ステップＳ２１０では、撮影条件が変更されたか否かを判定する。ユーザが操作部１１３に含まれる各種ボタンまたはダイヤルを操作することによって、露出設定、ホワイトバランス設定、色調節設定、階調調節設定、特殊効果フィルタ処理設定、特定シーン撮影用のシーンモード設定、アスペクト比設定、シャープネス調節設定、ノイズ低減フィルタ設定などの撮影条件のうち、少なくとも１つの撮影条件が変更されたと判定すると、ステップＳ２１１に進み、撮影条件が変更されていないと判定すると、ステップＳ２１２に進む。
【００３７】
ステップＳ２１１では、Status_LV＝１に設定する。すなわち、ユーザによって撮影条件が変更された場合には、ライブビューボタンの操作がされなくても、変更後の撮影条件を反映したライブビュー画像を表示するモードに切り替える。
【００３８】
ステップＳ２１２では、デジタルスチルカメラの電源をオフするか否かを判定する。ユーザにより電源ボタンが押された場合、または、カメラの無操作状態が所定時間続いた場合には、電源をオフすると判定する。デジタルスチルカメラの電源をオフしないと判定するとステップＳ２０１に戻り、デジタルスチルカメラの電源をオフすると判定すると、ステップＳ２１３に進む。
【００３９】
ステップＳ２１３では、ライブビュー表示の表示方法を示すStatus_LVをＦｌａｓｈメモリ１１４に記録する。ただし、現在のStatus_LVが、撮影条件をリセットした設定を反映したライブビュー表示モードであるStatus_LV＝０の場合には、Status_LV＝１としてＦｌａｓｈメモリ１１４に記録する。これは、電源がオンされた直後に、ユーザが意図せずに、撮影条件をリセットした設定を反映したライブビュー画像が表示されてしまうのを防ぐためである。すなわち、電源がオンされた直後にライブビュー画像を表示する場合には、撮影条件を反映したライブビュー画像を表示する設定とする。
【００４０】
図４は、Status_LVの遷移状態をまとめた図である。第１のライブビューモードであるStatus_LV＝１の状態で、ライブビューボタンの短押し操作が行われると、第２のライブビューモードであるStatus_LV＝０の状態に移行する。また、Status_LV＝１の状態で、ライブビューボタンの長押し操作が行われると、第３のライブビューモードであるStatus_LV＝２の状態に移行する。
【００４１】
第２のライブビューモードであるStatus_LV＝０の状態で、ライブビューボタンの短押し操作が行われた場合、または、撮影条件が変更された場合には、第１のライブビューモードであるStatus_LV＝１の状態に移行する。また、Status_LV＝０の状態で、ライブビューボタンの長押し操作が行われると、第３のライブビューモードであるStatus_LV＝２の状態に移行する。
【００４２】
第３のライブビューモードであるStatus_LV＝２の状態で、操作時間に関係なく、ライブビューボタンが操作されると、第１のライブビューモードであるStatus_LV＝１の状態に移行する。
【００４３】
図５は、ライブビュー表示の制御内容を示すフローチャートである。ステップＳ４０１では、ライブビュー表示の表示方法を示すStatus_LVが２であるか否かを判定する。Status_LV＝２であると判定するとステップＳ４０２に進む。ステップＳ４０２では、ライブビュー表示をオフにして、ライブビュー表示処理を終了する。
【００４４】
一方、ステップＳ４０１において、Status_LV＝２ではないと判定すると、ステップＳ４０３に進む。ステップＳ４０３では、Status_LV＝１であるか否かを判定する。Status_LV＝１であると判定すると、ステップＳ４０４に進む。ステップＳ４０４では、撮影条件を反映したライブビュー画像を生成し、生成したライブビュー画像をＬＣＤ１１６に表示する処理を行う。撮影条件を反映したライブビュー画像の生成は、既知の方法により行うことができる。
【００４５】
一方、ステップＳ４０３において、Status_LV＝１ではないと判定すると、ステップＳ４０５に進む。この場合、Status_LV＝２であるため、撮影条件をリセットした設定を反映したライブビュー画像を生成し、生成したライブビュー画像をＬＣＤ１１６に表示する処理を行う。この時、撮影条件をリセットした設定を反映したライブビュー画像であることがユーザに容易に分かるような表示を行う。
【００４６】
図６（ａ）、（ｂ）は、撮影条件をリセットした設定を反映したライブビュー画像をＬＣＤ１１６に表示する際の表示方法の例を示す図である。図６（ａ）に示す例では、「Reset Sim」という表示５１をライブビュー画像に重畳表示させている。また、図６（ｂ）に示す例では、ライブビュー画像の外枠５２を所定の色で点滅表示させている。ユーザは、図６（ａ）に示す例では、「Reset Sim」という表示５１により、また、図６（ｂ）に示す例では、点滅表示される外枠５２の存在により、撮影条件をリセットした設定を反映したライブビュー画像であることを容易に視認することができる。なお、撮影条件をリセットした設定を反映したライブビュー画像であることを示す表示方法は、図６（ａ）、（ｂ）に示す方法に限定されることはない。
【００４７】
ここで、ステップＳ４０５では、「撮影条件をリセットした設定」を反映したライブビュー画像をＬＣＤ１１６に表示する処理を行うのであって、撮影条件そのものをリセットするわけではない。すなわち、ユーザによって撮影条件が変更されると、変更後の撮影条件はＦｌａｓｈメモリ１１４に記憶されるが、ステップＳ４０５の処理が行われた場合でも、Ｆｌａｓｈメモリ１１４に記憶されている撮影条件はリセットされずに、そのまま保持されている。従って、Status_LV＝０の状態で、ライブビューボタンの短押し操作がされると、Ｆｌａｓｈメモリ１１４に記憶されている撮影条件を読み出して、撮影条件を反映したライブビュー画像を迅速に表示させることができる。
【００４８】
また、撮影条件がリセットされずに、保持されるので、撮影条件をリセットした設定を反映したライブビュー画像データの表示に切り替えた場合でも、ユーザによってレリーズボタンが押されると、撮影条件に応じた撮影を迅速に行うことができる。
【００４９】
以上、一実施形態における撮像装置によれば、Ｆｌａｓｈメモリ１１４に記憶されている撮影条件を保持したまま、ユーザによるライブビューボタンの操作に応じて、撮影条件を反映したライブビュー画像データをＬＣＤ１１６に表示する第１のライブビューモードと、撮影条件をリセットした設定を反映したライブビュー画像データをＬＣＤ１１６に表示する第２のライブビューモードとを切り替える。これにより、ユーザは、ライブビューボタンを操作するだけで、撮影条件を反映したライブビュー表示と、撮影条件をリセットした設定を反映したライブビュー表示とを容易に切り替えることができる。すなわち、撮影条件を反映したライブビュー表示状態から、撮影条件をリセットした設定を反映したライブビュー表示状態に切り替えるために、撮影条件をリセットするための複数の操作を行う必要がない。また、撮影条件をリセットした設定を反映したライブビュー表示を行った場合でも、撮影条件はＦｌａｓｈメモリ１１４に保持されたままとなっているので、撮影条件を反映したライブビュー表示に迅速に切り替えることができる。
【００５０】
また、一実施形態における撮像装置によれば、ユーザは、ライブビューボタンを操作するだけで、撮影条件を反映したライブビュー画像データを表示する第１のライブビューモード、撮影条件をリセットした設定を反映したライブビュー画像データを表示する第２のライブビューモード、および、ライブビュー画像データを表示しない第３のライブビューモードを切り替えることができる。
【００５１】
さらに、現在のライブビューモードが第２のライブビューモードである場合に、ユーザによる撮影条件の設定操作によって撮影条件が変更されると、変更後の撮影条件を反映したライブビュー画像データを表示する第１のライブビューモードに切り替えるので、ユーザがライブビューボタンを操作しなくても、ユーザの意図を反映したライブビューモードの切り替えを行うことができる。
【００５２】
また、第２のライブビューモードでライブビュー画像データを表示する場合には、第１のライブビューモードでライブビュー画像データを表示する場合とは異なる表示を行うので、ユーザは、第１のライブビューモードによる表示と、第２のライブビューモードによる表示とを容易に見分けることができる。
【００５３】
本発明は、上述した一実施形態に限定されるものではなく、本発明の要旨を逸脱しない範囲内で様々な変形や応用が可能である。例えば、図２に示すフローチャートでは、デジタルスチルカメラの電源をオフする際に、ライブビュー表示の表示方法を示すStatus_LVが、撮影条件をリセットした設定を反映したライブビュー表示モードであるStatus_LV＝０の場合には、Status_LV＝１としてＦｌａｓｈメモリ１１４に記録したが、Status_LV＝０として記録するようにしてもよい。
【００５４】
上述した一実施形態では、ユーザによるライブビューボタンの操作に応じて、各ライブビューモードを切り替えるようにしたが、ライブビューモードを切り替えるための専用のボタンを設けるようにしてもよい。例えば、第１、第２、第３のライブビューモードに対応したボタンをそれぞれ設け、ユーザがボタン操作を行うと、そのボタンに対応したライブビューモードによるライブビュー表示を行うようにしてもよい。
【符号の説明】
【００５５】
１０１…レンズ
１０２…撮像素子
１０３…撮像回路
１０４…Ａ／Ｄ変換部
１０５…画像処理部
１０６…ＪＰＥＧ処理部
１０７…マイクロコンピュータ
１０８…ＳＤＲＡＭ
１０９…メモリＩ／Ｆ
１１０…ＬＣＤドライバ
１１１…レンズ駆動部
１１２…レンズ駆動制御回路
１１３…操作部
１１４…Ｆｌａｓｈメモリ
１１５…記録媒体
１１６…ＬＣＤ
【図１】
2010245810.tif 000003
【図２】
2010245810.tif 000004
【図３】
2010245810.tif 000005
【図４】
2010245810.tif 000006
【図５】
2010245810.tif 000007
【図６】
2010245810.tif 000008